(57)【要約】【課題】    一壁面の上下の通気口による自然換気を実現しつつ、窓障子下方の跨ぎ段差が高くなるのを防ぐことで掃き出し窓への対応を可能とするとともに、採光面積を十分に確保し、窓障子の操作性に支障をきたさないようにする。【解決手段】  窓障子(40)(40)上方の框部分(10)に形成された開閉自在な第１の換気用通気口(17)(17)と、同じく窓障子(40)(40)の下端部に形成された開閉自在な第２の換気用通気口(18)(18)とによって、自然通気を得られるようにする。【選択図】  図１
2005105527.tif 000002
【特許請求の範囲】
【請求項１】
窓障子上方の框部分に形成された開閉自在な第１の換気用通気口と、同じく窓障子の下端部に形成された開閉自在な第２の換気用通気口とによって、自然通気を得られるようにしていることを特徴とする住宅の換気装置。
【請求項２】
前記第１の通気口が形成された框部分は、前記窓障子を囲む開口部枠の上部框の部分である請求項１記載の住宅の換気装置。
【請求項３】
窓障子の上方において、その窓障子を囲む上部框の部分に形成された開閉自在な第１の換気用通気口と、同じく窓障子の下端部に形成された開閉自在な第２の換気用通気口とを備えていることを特徴とする換気用の通気口を備えた開口部枠。
【請求項４】
前記の窓障子は、互いに引き違いとなるように複数設けられている請求項３記載の換気用の通気口を備えた開口部枠。
【請求項５】
前記の換気用通気口は、それぞれ１又は複数の可動羽根板を備えたルーバー又はダンパーによって開閉自在とされている請求項３又は４記載の換気用の通気口を備えた開口部枠。
【請求項６】
前記の換気用通気口は、それぞれ開口部枠の左右幅の略全幅に亘って設けられている請求項３乃至５のいずれかに記載の換気用の通気口を備えた開口部枠。
【請求項７】
前記第１の通気口に設けられた前記可動羽根板は、透光性を備えている請求項５又は６記載の換気用の通気口を備えた開口部枠。
【請求項８】
前記第１の通気口に設けられた前記可動羽根板は、二重ガラスその他の断熱構造を有している請求項５乃至７のいずれかに記載の換気用の通気口を備えた開口部枠。
【請求項９】
前記第２の通気口は、その通気口に設けられたダンパーを開いた状態において、室外側より室内側が高くなるように略Ｚ形に屈曲した通気経路とされている請求項５乃至８のいずれかに記載の換気用の通気口を備えた開口部枠。
【請求項１０】
前記第２の通気口に設けられた前記可動羽根板は、防火断熱板からなっている請求項５乃至９のいずれかに記載の換気用の通気口を備えた開口部枠。
【発明の詳細な説明】
【技術分野】
【０００１】
この発明は、自然通気によって室内を換気するための住宅の換気装置、及び換気用の通気口を備えた開口部枠に関する。
【背景技術】
【０００２】
従来より、ランニングエネルギーを必要としない住宅の自然換気システムとして、居室の異なる二壁面にそれぞれ自然換気用の通気口を設けて、風力を利用して室内を換気する風力換気と、居室の一壁面の上部位置と下部位置に自然換気用の通気口を設けて、屋内外の温度差を利用して室内を換気する温度差換気とが知られている。
【０００３】
温度差換気による自然換気を行う場合は、一壁面の上部位置と下部位置にそれぞれ換気用の通気口を設ける必要があるが、通常はその壁面に採光などの目的で大きな開口部枠が設けられるため、開口部枠と換気用通気口とを併設した場合、以下のような種々の不具合が生じていた。
【０００４】
例えば、その壁面に、人の出入りを可能とする開閉式の窓障子を備えた開口部枠が設けられている場合、その窓障子の下方に下側の換気用通気口を設けようとすると、下側の通気口の高さ分だけ開口部枠における出入り時の跨ぎ段差が大きくなってしまい、特に、跨ぎ段差の無い掃き出しタイプとすることが困難である。
【０００５】
また、上側の換気用通気口として、窓障子の上方に横滑り出し窓やオーニング窓を設けることが考えられるが、それらはいずれも高単価であるためコスト高を招いてしまい、また、場合によっては、窓障子の高さが低く制限されてしまうため、人の出入り高さを十分確保することができず、使い勝手が悪くなってしまうことがある。
【０００６】
さらに、オーニング窓などを換気用通気口として用いると、雨の降り込み対策や防犯対策のために、外出時や就寝時には窓を閉めておかなければならず、常時開放することができない。
【０００７】
一方、特許文献１及び特許文献２には、自然換気用の上下の通気口を、開閉式の窓障子の上端部と下端部にそれぞれ設けた構成が記載されている。このように上下の通気口を窓障子と一体に設けることで、上記のような温度差換気を利用した自然換気を行える構成でありながら、跨ぎ段差の無い掃き出しタイプの開口部枠を設けることを可能とするとともに、人の出入り高さを十分確保することができるようになっている。また、換気用の通気口に、それぞれ開閉式のガラリ機構が設けられており、それぞれの通気口が常時開放可能となっている。
【０００８】
【特許文献１】特開２００２−１３３５９号公報
【特許文献２】特開２００３−１４８０６３号公報
【発明の開示】
【発明が解決しようとする課題】
【０００９】
しかし、特許文献１及び特許文献２に開示されているように、ガラリを備えた通気口が窓障子の上下両端部に設けられていると、その分だけ窓障子全体の採光面積が狭くなってしまい、特に上側のガラリにより本来得られるはずの採光が遮られてしまう欠点があった。また、窓障子の上下両端部に開閉式ガラリ機構を設けると、窓障子全体の重量が大きくなってしまうため、開閉時の操作性が悪くなってしまう欠点を有していた。
【００１０】
そこで、この発明は、上記の不具合を解消して、一壁面の上下の通気口による自然換気を実現しつつ、窓障子下方の跨ぎ段差が高くなるのを防ぐことで掃き出し窓への対応を可能とするとともに、採光面積を十分に確保し、窓障子の操作性に支障をきたさないようにすることを目的とする。
【課題を解決するための手段】
【００１１】
上記の課題を解決するため、この発明における住宅の換気装置は、窓障子上方の框部分に形成された開閉自在な第１の換気用通気口と、同じく窓障子の下端部に形成された開閉自在な第２の換気用通気口とによって、自然通気を得られるようにしていることを特徴とする。
【００１２】
上記において、前記第１の通気口が形成された框部分は、前記窓障子を囲む窓枠の上部框の部分である。
【００１３】
また、この発明における換気用の通気口を備えた開口部枠は、窓障子の上方において、その窓障子を囲む窓枠の上部框の部分に形成された開閉自在な第１の換気用通気口と、同じく窓障子の下端部に形成された開閉自在な第２の換気用開口部とを備えていることを特徴とする。
【００１４】
前記の窓障子は、互いに引き違いとなるように複数設けられている。また、前記の換気用通気口は、それぞれ１又は複数の可動羽根板を備えたルーバー又はダンパーによって開閉自在とされている。さらに、前記の換気用通気口は、それぞれ前記窓枠の左右幅の略全幅に亘って設けられている。
【００１５】
前記第１の通気口に設けられた前記可動羽根板は、透光性を備えている。また、前記第１の通気口に設けられた前記可動羽根板は、二重ガラスその他の断熱構造を有している。
【００１６】
前記第２の通気口は、その通気口に設けられたダンパーを開いた状態において、室外側より室内側が高くなるように略Ｚ形に屈曲した通気経路とされている。また、前記第２の通気口に設けられた前記可動羽根板は、防火断熱板からなっている。
【発明の効果】
【００１７】
この発明では、第１の通気口を窓障子上方の框部分に設け、第２の通気口を窓障子の下端部に設けることで、一壁面の上下の通気口による自然換気を実現しつつ、窓障子下方の跨ぎ段差が高くなるのを防ぐことで掃き出し窓への対応を可能とするとともに、第１の通気口を窓障子の上端部に設ける場合に比べて採光面積が確保しやすくなっている。
【００１８】
また、窓障子には、その下端部のみに通気口が設けられているため、従来のように上下両端部に通気口を設けた場合に比べて、通気口を開閉させるための部材点数が少なくて済む分だけ窓障子の軽量化を図ることができ、窓障子の開閉操作性を向上させることができる。
【００１９】
さらに、第１の通気口が、窓障子を囲む開口部枠の上部框に設けられているため、窓障子の上方にオーニング窓などを設けて第１の通気口を形成する場合に比べて、第１の通気口を設けるために窓障子の高さが低く制限されることがなく、開口部枠内の人の出入り高さを確保しやすくなっている。
【００２０】
またさらに、換気用通気口は、それぞれ開口部枠の左右幅の略全幅に亘って設けられているため、その高さを低く設定しても十分な有効開口面積を得ることが可能である。また、そのように通気口の高さを低く設定することにより、人の侵入を規制しつつ常時開放することが可能となっている。
【００２１】
また、第１の通気口に設けられた可動羽根板が透光性を有しているため、第１の通気口からの採光が可動羽根板によって遮られることがなく、その分だけ採光面積を十分に確保することができる。
【００２２】
さらに、第１の通気口に設けられた可動羽根板が、二重ガラスその他の断熱構造を有しているため、その羽根板で第１の通気口を閉じることにより、室内の温熱環境を良好に維持することができる。
【００２３】
また、第２の通気口は、ダンパーを開いた状態において、室外側より室内側が高くなるように略Ｚ形に屈曲した通気経路とされているため、外部からの視線を遮ることができるとともに、通常の風であれば降雨の入り込みをほぼ完全に防ぐことができ、また、不正解錠工具が入りにくくなっているため防犯性に優れている。
【００２４】
さらに、第２の通気口に設けられた可動羽根板が、防火断熱板からなっているため、その羽根板で第２の通気口を閉じることにより、室内の温熱環境を良好にするとともに、火災対策を実現することができる。
【発明を実施するための最良の形態】
【００２５】
以下、この発明の実施形態を図面に基づいて詳細に説明する。図において、(１)は、外壁(２)の開口部(３)に設置される開口部枠である。開口部枠(１)は、左右一対の縦枠材(13)(14)と、これら縦枠材(13)(14)の上端部を連結する上部框(10)と、同じく縦枠材(13)(14)の下端部を連結する下部框(15)とから方形枠状に形成されている。
【００２６】
この開口部枠(１)は、図３に示すように、施工状態において、基礎(６)上に設置される下部框(15)の上端が床(５)面より低くなるようになっており、出入り時の跨ぎ段差が無い掃き出し窓として用いられるものである。
【００２７】
なお、外壁(２)の開口部(３)には、図２及び図３に示すように、開口部枠(１)よりも室内側において、上枠材(63)と左右一対の縦枠材(64)(65)とが下向きコ字状に連結されてなる化粧枠(62)が取り付けられている。
【００２８】
上部框(10)は、左右一対の縦枠材(13)(14)上端部と、それら縦枠材(13)(14)上端部間に跨って上下に所定間隔を空けて設けられた一対の横枠材(11)(12)と、それら各枠材(11)〜(14)に囲まれた空間とからなっている。この上部框(10)には、上下の横枠材(11)(12)間の隙間に、第１の換気用通気口(17)(17)が形成されている。このように、第１の通気口(17)(17)は、窓障子(40)(40)とは別のオーニング窓などを新たに設けて形成するのではなく、窓障子(40)(40)を囲む開口部枠(１)の上部框(10)に形成されているため、別の窓を設ける場合のように窓障子(40)(40)の高さが低く制限されることがなく、開口部枠(１)内における人の出入り高さをより高く確保することができる。
【００２９】
また、上部框(10)は、上下の横枠材(11)(12)の中央部間に跨る縦材(16)を備えており、第１の換気用通気口(17)(17)は、その縦材(16)を挟んで左右一対設けられている。
【００３０】
第１の換気用通気口(17)(17)には、図４及び図５に示すように、それぞれ上下２段の可動羽根板(21)(22)…を備えたルーバー(20)(20)が設けられており、これらルーバー(20)(20)により、第１の換気用通気口(17)(17)が開閉自在とされている。
【００３１】
可動羽根板(21)(22)は、それぞれ所定間隔を空けて平行に配置された一対のガラス板(23)(24)…からなっており、二重ガラス構造を有している。従って、可動羽根板(21)(22)は、通気口(17)を閉じた状態において優れた断熱性を発揮するようになっている。ただし、可動羽根板(21)(22)の断熱構造は、そのような二重ガラス構造に限られず、例えば、断熱性を備えた材質からなる１枚の板材により羽根板(21)(22)を形成することが考えられる。また、可動羽根板(21)(22)は優れた透光性を有しており、第１の通気口(17)(17)からの採光を羽根板(21)(22)により遮ることがなく、採光面積の確保に貢献している。
【００３２】
上段及び下段のガラス板(23)(24)…は、それぞれ左右両端部が羽根板支持材(25)(25)…に係合支持されている。それら羽根板支持材(25)(25)…は、固定軸(26)(26)…を介して縦枠材(13)(14)又は縦材(16)に対して回転自在に取り付けられている。また、上段及び下段の羽根板支持材(25)(25)は、互いに連結材(28)を介して連結されている。羽根板支持材(25)(25)と連結材(28)とは、連結軸(27)を介して回転自在に連結されている。そして、連結材(28)は、図４及び図５に示すように、公知のリンク機構(29)に連結されており、操作ハンドル(30)を回すとリンク機構(29)の働きにより連結材(28)が駆動される。
【００３３】
このような連結材(28)の移動に連動して、羽根板支持材(25)(25)…が上記の固定軸(26)(26)を軸に回転し、それに伴って、図４及び図５に示すようにガラス板(23)(24)…の傾きが変化して、ルーバー(20)が開閉するようになっている。
【００３４】
下段のガラス板(24)(24)の上端部には、それぞれ例えばゴム製のパッキン(33)(33)が取り付けられており、図４に示すようなルーバー(20)を閉じた状態においても、上段のガラス板(23)(23)下端部と直接当接するのを防いで、それらガラス板(23)(24)…が傷つかないようになっている。また、上部框(10)の上側の横枠材(11)下端部、及び下側の横枠材(12)上端部にも、それぞれパッキン(31)(32)…が取り付けられており、ルーバー(20)を閉じた状態において、上段のガラス板(23)(23)上端部、及び下段のガラス板(24)(24)下端部が、それら横枠材(11)(12)に直接当接するのを防いで、ガラス板(23)(24)…が傷つかないようになっている。
【００３５】
なお、上記において、ルーバー(20)の羽根板(21)(22)は、上下２段設けられているが、羽根板(21)(22)の上下の段数は１段若しくは３段以上であっても良い。
【００３６】
また、第１の換気用通気口(17)(17)は、開口部枠(１)の左右幅の略全幅に亘って設けられている。第１の通気口(17)(17)の高さは、上部框(10)内に収まる程度の高さとなっており、例えば１６９ｍｍに設定されている。このように、窓障子(40)(40)上方の第１の通気口(17)(17)の高さを低く抑えることで、それら通気口(17)(17)を上部框(10)に設けることが可能となっており、また、それら通気口(17)(17)を横長の形状に形成することで十分な有効開口面積を確保できるようになっている。
【００３７】
開口部枠(１)内には、一対の窓障子(40)(40)が、互いに引き違いとなるように嵌め込まれている。それぞれの窓障子(40)の障子枠(41)は、左右一対の縦枠材(44)(45)と、上下一対の横枠材(42)(46)とが方形枠状に連結されてなっている。障子枠(41)の下部には、縦枠材(44)(45)間に跨る仕切り枠材(43)が設けられており、上側の横枠材(42)と仕切り枠材(43)と左右の縦枠材(44)(45)とに囲まれた空間には、窓ガラス(48)が設けられており、この窓ガラス(48)は、例えばパッキン(49)(49)…を介して各枠材(42)〜(45)に固定されている。
【００３８】
上側の横枠材(42)の上端には、図４及び図５に示すように、開口部枠(１)の仕切り枠材(12)下端より突設されたガイドレール(36)に係合させるための係合溝(38)が、概略断面上向きコ字状に形成されており、下側の横枠材(46)の下端には、図６及び図７に示すように、開口部枠(１)の下部框(15)上端より突設されたガイドレール(37)に係合させるための係合溝(39)が、概略断面下向きコ字状に形成されている。
【００３９】
また、窓障子(40)の下側係合溝(39)には、複数の戸車(35)(35)が設けられており、開口部枠(１)下側のガイドレール(37)上を転動するようになっている。このように、窓障子(40)(40)は、戸車(35)(35)を備えているため、その開閉操作を楽に行うことができるようになっている。
【００４０】
それぞれの窓障子(40)の下端部には、仕切り枠材(43)と下側の横枠材(46)との間の空間に、第２の換気用通気口(18)(18)が形成されている。さらに、仕切り枠材(43)と下側の横枠材(46)との中間部には、縦枠材(44)(45)間に跨る横桟(47)が設けられており、第２の換気用通気口(18)(18)は、その横桟(47)を挟んで上下一対設けられている。
【００４１】
第２の換気用通気口(18)(18)には、上下２段の可動羽根板(51)(51)を備えたダンパー(50)が設けられており、このダンパー(50)により、第２の換気用通気口(18)(18)が開閉自在とされている。
【００４２】
可動羽根板(51)(51)は、それぞれ例えば樹脂製の防火断熱板からなっており、図６及び図７に示すように、概略断面Ｚ字状に形成されている。これら可動羽根板(51)(51)は、図示しないリンク機構若しくは電動モータその他の駆動機構により回転可能に取り付けられている。そして、可動羽根板(51)(51)の傾き角度を変化させることで、第２の通気口(18)(18)内の通気量を調節することができるようになっている。
【００４３】
なお、仕切り枠材(43)、横桟(47)、及び下側の横枠材(46)には、図６に示すようなダンパー(50)を閉じた状態において、可動羽根板(51)(51)と直接当接することを避けるために、例えばゴム製のパッキン(53)(53)…がそれぞれ取り付けられている。
【００４４】
また、図６及び図７に示すように、仕切り枠材(43)は、その下端部が室外側から室内側に向かうに連れて高くなるように形成されており、下側の横枠材(46)は、その上端部が室外側から室内側に向かうに連れて高くなるように形成されている。また、この横桟(47)は、室外側より室内側が高くなる概略断面倒Ｚ字状に形成されている。
【００４５】
従って、第２の通気口(18)(18)は、図７に示すようなダンパー(50)を開いた状態において、室外側より室内側が高くなるように略Ｚ形に屈曲した通気経路とされている。すなわち、第２の通気口(18)が開放状態であっても、外部からの視線を遮ることができるとともに、通常の風であれば降雨の入り込みをほぼ完全に防ぐことができ、また、不正解錠工具が入りにくくなっているため防犯性に優れている。従って、第２の通気口(18)(18)は、外出時や就寝時であっても常時開放することができる。
【００４６】
第２の換気用通気口(18)(18)は、窓障子(40)(40)によって開口部枠(１)内の開口部分を閉じた状態において、開口部枠(１)の左右幅の略全幅に亘って設けられているため、その分高さを低くしても十分な有効開口面積を確保できるようになっている。従って、その分だけ窓障子(40)(40)の窓ガラス(48)を大きく設定することができ、その窓ガラス(48)による採光面積を広く確保することができる。
【００４７】
なお、図６及び図７に示すように、仕切り枠材(43)と横桟(47)との間、及び横桟(47)と下側の横枠材(46)との間には、それぞれ可動羽根板(51)(51)よりも室外側に、横プレート(52)(52)が縦枠材(44)(45)間に跨って設けられている。
【００４８】
また、第１及び第２の換気用通気口(17)(18)…には、それら通気口(17)(18)…を室内側から覆う防虫網(60)(61)…が設けられており、通気口(17)(18)…の開放状態においても、屋外からの虫の侵入を防止できるようになっている。
【００４９】
上記において、第１の通気口(17)(17)と第２の通気口(18)(18)とは、上下方向に少なくとも１ｍ以上の間隔を空けて設けられている。このように、上下の通気口(17)(18)…の間隔を空けることで、室内の空気が全体的にスムーズに流れて、換気効率を高めることができる。
【００５０】
上記構成からなる開口部枠(１)は、屋内外の温度差を利用して、第１の通気口(17)(17)と第２の通気口(18)(18)とのうちいずれか一方の通気口(17)(18)…から室内へ外気を取り入れ、他方の通気口(17)(18)…から室内の空気を排出させることで、室内を換気するようになっており、特に、夏期や中間期において、寝室等に夜間の冷気を導入するのに適している。このように、上記開口部枠(１)は、第１及び第２の通気口(17)(18)…によって、自然通気を得られるようになっており、１つの開口部枠(１)を設置するだけで有効な自然換気を行うことができる。
【００５１】
上記構成からなる開口部枠(１)は、図８に示すような腰窓タイプの窓として用いることも可能である。この場合、開口部枠(１)は、下部框(15)の高さが床(５)面より一定高さ上方の位置となるように設置される。なお、図８に示す開口部枠(１)では、第１の通気口(17)が、上述したような縦材(16)によって左右に仕切られることなく形成されている。
【００５２】
この発明は、上記実施形態に限定されるものではなく、この発明の範囲内で上記実施形態に多くの修正及び変更を加え得ることは勿論である。
【図面の簡単な説明】
【００５３】
【図１】この発明の一実施形態に係る開口部枠を示す正面図である。
【図２】同じくその取付け状態を示す正面図である。
【図３】同じくその断面図である。
【図４】第１の通気口を示す拡大断面図である。
【図５】同じくそのルーバーを開いた状態を示す拡大断面図である。
【図６】第２の通気口を示す拡大断面図である。
【図７】同じくそのダンパーを開いた状態を示す拡大断面図である。
【図８】開口部枠を腰窓タイプの窓として設置した状態を示す正面図である。
【符号の説明】
【００５４】
(１)  開口部枠
(10)  上部框
(17)  第１の換気用通気口
(18)  第２の換気用通気口
(20)  ルーバー
(21)(22)  可動羽根板
(40)  窓障子
(50)  ダンパー
(51)  可動羽根板
【図１】
2005105527.tif 000003
【図２】
2005105527.tif 000004
【図３】
2005105527.tif 000005
【図４】
2005105527.tif 000006
【図５】
2005105527.tif 000007
【図６】
2005105527.tif 000008
【図７】
2005105527.tif 000009
【図８】
2005105527.tif 000010